【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】
筋肉関連疾患を治療するための組成物であって、有効量のフォリスタチンまたはその機能的フラグメントを含む組成物。
【請求項２】
疾患が筋ジストロフィー、先天性筋障害、先天性筋強直、家族性の周期性まひ、けいれん性ミオグロビン尿症、重症筋無力症、Eaton-Lambert症候群、続発性筋無力症または脱神経性萎縮から選択される請求項１記載の組成物。
【請求項３】
該疾患が筋ジストロフィーである請求項２記載の組成物。
【請求項４】
該筋ジストロフィーがＸ連鎖筋ジストロフィー、肢帯ジストロフィー、顔面肩甲上腕ジストロフィー、筋強直性ジストロフィー、末梢筋ジストロフィー、進行性のジストロフィー性眼筋まひ、眼球咽頭ジストロフィーまたはFukuyama型先天性筋ジストロフィーから選択される請求項２記載の組成物。
【請求項５】
非変性性の神経系疾患を治療するための組成物であって、有効量のフォリスタチンまたはその機能的フラグメントを含む組成物。
【請求項６】
疾患が脊髄、神経系または筋肉系に対する外傷性または慢性の傷害である請求項５記載の組成物。
【請求項７】
疾患が外傷性の傷害である請求項６記載の組成物。
【請求項８】
疾患が慢性の傷害である請求項６記載の組成物。
【請求項９】
傷害が脊髄に対するものである請求項７または８記載の組成物。
【請求項１０】
傷害が神経系に対するものである請求項７または８記載の組成物。
【請求項１１】
傷害が筋肉系に対するものである請求項７または８記載の組成物。
【請求項１２】
傷害が感染、血管の疾病、外傷、代謝障害、先天性奇形または腫瘍から選択される請求項６〜１１のいずれか１項記載の組成物。
【請求項１３】
疾患がてんかん、脊髄空洞症、末梢ニューロパシー、先天性奇形または腫瘍から選択される請求項５記載の組成物。
【請求項１４】
疾患が感染、血管の疾病、外傷、代謝障害、先天性奇形または腫瘍に関連したものである請求項１〜１３のいずれか１項記載の組成物。
【請求項１５】
組織または細胞に対する成長および分化因子８（ＧＤＦ−８）の影響に関連した疾患を治療するための組成物であって、フォリスタチンまたはその機能的フラグメントを含む組成物。
【請求項１６】
組織または細胞に対する骨形態形成蛋白１１（ＢＭＰ−１１）の影響に関連した疾患を治療するための組成物であって、フォリスタチンまたはその機能的フラグメントを含む組成物。
【請求項１７】
細胞が神経細胞、ニューロン細胞および筋肉細胞から選択される請求項１５または１６記載の組成物。
【請求項１８】
組織が骨、軟骨、腱、靱帯、筋肉、脂肪細胞、神経およびニューロン組織から選択される請求項１５または１６記載の組成物。
【請求項１９】
組織または細胞が筋肉性である請求項１５記載の組成物。
【請求項２０】
組織または細胞が神経性またはニューロン性である請求項１６記載に組成物。
【請求項２１】
フォリスタチンまたはその機能的フラグメントがヒトフォリスタチンまたはその機能的フラグメントである請求項１〜２０のいずれか１項記載の組成物。
【請求項２２】
フォリスタチンがヒトフォリスタチンである請求項２１記載の組成物。
【請求項２３】
ヒトフォリスタチンがＦＳ−２８８、ＦＳ−３１５およびＦＳ−３０３から選択される請求項２２記載の組成物。
【請求項２４】
インビトロにおいて組織または細胞に対する成長および分化因子８（ＧＤＦ−８）の影響をモジュレーションする方法であって、フォリスタチンまたはその機能的フラグメントを与えることを含む方法。
【請求項２５】
インビトロにおいて組織または細胞に対する骨形態形成蛋白１１（ＢＭＰ−１１）の影響をモジュレーションする方法であって、フォリスタチンまたはその機能的フラグメントを与えることを含む方法。
【請求項２６】
インビトロにおいて組織または細胞に対する成長および分化因子８（ＧＤＦ−８）の影響をブロックする方法であって、フォリスタチンまたはその機能的フラグメントを与えることを含む方法。
【請求項２７】
インビトロにおいて組織または細胞に対する骨形態形成蛋白１１（ＢＭＰ−１１）の影響をブロックする方法であって、フォリスタチンまたはその機能的フラグメントを与えることを含む方法。
【請求項２８】
細胞が神経細胞、ニューロン細胞または筋肉細胞から選択される請求項２４〜２７のいずれか１項記載の方法。
【請求項２９】
組織が骨、軟骨、腱、靱帯、筋肉、脂肪細胞、神経およびニューロン組織から選択される請求項２４〜２７のいずれか１項記載の方法。
【請求項３０】
フォリスタチンまたはその機能的フラグメントがヒトフォリスタチンまたはその機能的フラグメントである請求項２４〜２９のいずれか１項記載の方法。
【請求項３１】
フォリスタチンがヒトフォリスタチンである請求項３０記載の方法。
【請求項３２】
ヒトフォリスタチンがＦＳ−２８８、ＦＳ−３１５およびＦＳ−３０３から選択される請求項３０または３１記載の方法。
【請求項３３】
筋肉関連疾患を治療するための医薬の製造におけるフォリスタチンまたはその機能的フラグメントの使用。
【請求項３４】
疾患が筋ジストロフィー、先天性筋障害、先天性筋強直、家族性の周期性まひ、けいれん性ミオグロビン尿症、重症筋無力症、Eaton-Lambert症候群、続発性筋無力症または脱神経性萎縮から選択される請求項３３記載の使用。
【請求項３５】
該疾患が筋ジストロフィーである請求項３４記載の使用。
【請求項３６】
該筋ジストロフィーがＸ連鎖筋ジストロフィー、肢帯ジストロフィー、顔面肩甲上腕ジストロフィー、筋強直性ジストロフィー、末梢筋ジストロフィー、進行性のジストロフィー性眼筋まひ、眼球咽頭ジストロフィーまたはFukuyama型先天性筋ジストロフィーから選択される請求項３４記載の使用。
【請求項３７】
非変性性の神経系疾患を治療するための医薬の製造におけるフォリスタチンまたはその機能的フラグメントの使用。
【請求項３８】
疾患が脊髄、神経系または筋肉系に対する外傷性または慢性の傷害である請求項３７記載の使用。
【請求項３９】
傷害が感染、血管の疾病、外傷、代謝障害、先天性奇形または腫瘍から選択される請求項３８記載の使用。
【請求項４０】
組織または細胞に対する成長および分化因子８（ＧＤＦ−８）の影響に関連した疾患を治療するための医薬の製造におけるフォリスタチンまたはその機能的フラグメントの使用。
【請求項４１】
組織または細胞に対する骨形態形成蛋白１１（ＢＭＰ−１１）の影響に関連した疾患を治療するための医薬の製造におけるフォリスタチンまたはその機能的フラグメントの使用。
【請求項４２】
細胞が神経細胞、ニューロン細胞および筋肉細胞から選択される請求項４０または４１記載の使用。
【請求項４３】
組織が骨、軟骨、腱、靱帯、筋肉、脂肪細胞、神経およびニューロン組織から選択される請求項４０または４１記載の使用。
【請求項４４】
フォリスタチンまたはその機能的フラグメントがヒトフォリスタチンまたはその機能的フラグメントである請求項３３〜４３のいずれか１項記載の使用。
【請求項４５】
フォリスタチンがヒトフォリスタチンである請求項４４記載の使用。
【請求項４６】
ヒトフォリスタチンがＦＳ−２８８、ＦＳ−３１５およびＦＳ−３０３から選択される請求項４５記載の使用。